(57)【要約】【課題】斜面部分は記録媒体が押し当てられながら摺動する為に磨耗が起こり、分離機能が損なわれる事がある。【解決手段】記録媒体２を複数枚収納出来る記録媒体収納カセット１と、記録媒体収納カセット１内の記録媒体２を給送する給送ローラ３と、給送された記録媒体２の先端を当接させて１枚づつ分離する斜面部分６からなる記録媒体分離部５とを備えたプリンタ装置であって、記録媒体分離部５は、斜面部分６を着け外し出来る構成を有する。例えば、斜面部分６は記録媒体分離部５の本体とは別個に本体にネジ止めされている。【選択図】図１
2006264897.tif 000002
【特許請求の範囲】
【請求項１】
プリンタ本体に着脱可能であって記録媒体を複数枚収納できる記録媒体収納カセットと、
前記記録媒体収納カセット内の記録媒体を給送する給送ローラと、
給送された記録媒体の給送方向に於ける先端を当接させて記録媒体を１枚づつ分離する斜面部分を有する記録媒体分離部とを備えたプリンタ装置であって、
前記記録媒体分離部の前記斜面部分を着け外し出来る構成にする事を特徴とした、
プリンタ装置。
【請求項２】
請求項１記載のプリンタ装置であって、
前記記録媒体分離部の前記斜面部分の材質は前記記録媒体の材質に応じて選択されていることを特徴とする、
プリンタ装置。
【発明の詳細な説明】
【技術分野】
【０００１】
本発明は、記録媒体に画像を記録するプリンタ装置に関する。
【背景技術】
【０００２】
従来の記録媒体分離部としては、斜面分離方式、爪分離方式、デュプロ方式、及びリタードローラ方式等がある。このうち、デュプロ方式及びリタードローラ方式では部品点数が多くコスト高であり、爪分離方式では厚紙の分離に不向きなため、コスト面と記録媒体の対応性とから斜面分離方式が普及している。
【０００３】
しかし、記録媒体の多様性から、斜面分離方式では、腰の強い媒体や弱い媒体に対して、重送などの問題を無くす事の両立が難しくなってきている。
【０００４】
この改善策の一つとして、斜面部分の角度を記録媒体に応じて可変可能としている（例えば、特許文献１参照）。又、可撓性部材を斜面部分に使用し、記録媒体によって角度が変わる様に構成しているものもある（例えば、特許文献２参照）。
【０００５】
【特許文献１】特開２００３−１１２８３８号公報（図１）
【特許文献２】特開平５−４３０７５号公報（図１）
【発明の開示】
【発明が解決しようとする課題】
【０００６】
斜面分離方式は、記録媒体が押し当てられながら摺動するため、記録媒体分離部の磨耗が起こる。磨耗が進むと、重送など分離機能が低下する。これらを解消する為には、記録媒体分離部を交換する必要がある。しかしながら、従来技術では、記録媒体分離部の交換は容易かつ安価ではなかった。例えば特許文献１の場合、記録媒体分離部を可動にする為には、記録媒体収納カセットに備え付けであり記録媒体収納カセットごと交換する必要がある。
【０００７】
この発明は斯かる問題点に鑑み成されたものであり、記録媒体分離部の斜面部分が磨耗することによる分離機能の低下の復帰を容易かつ安価にすることを、その目的とする。
【課題を解決するための手段】
【０００８】
この発明の主題は、プリンタ本体に着脱可能であって記録媒体を複数枚収納できる記録媒体収納カセットと、前記記録媒体収納カセット内の記録媒体を給送する給送ローラと、給送された記録媒体の給送方向に於ける先端を当接させて記録媒体を１枚づつ分離する斜面部分を有する記録媒体分離部とを備えたプリンタ装置であって、前記記録媒体分離部の前記斜面部分を着け外し出来る構成にする事を特徴とする。
【０００９】
以下、この発明の主題の様々な具体化を、添付図面を基に、その効果・利点と共に、詳述する。
【発明の効果】
【００１０】
本発明の主題によれば、記録媒体分離部全体を交換としていた従来技術と比べ、記録媒体分離部のうち斜面部分のみを着け外し出来る構成にしているので、磨耗が起こる事で分離の機能が低下したときに斜面部分のみを容易かつ安価に交換することが出来る。
【発明を実施するための最良の形態】
【００１１】
本発明の着眼点は、プリンタ装置の記録媒体分離部の斜面部分を別途着け外し出来る構成にする事で、当該斜面部分の磨耗によって分離機能が低下したときに容易かつ安価で斜面部分のみを交換出来ることを実現した点にある。
【００１２】
（実施の形態１）
図１は、本実施の形態に係るプリンタ装置１００の一部分の構成を示す斜視図である。図１において、カセット１１０は記録媒体収納部であり、記録媒体収納カセット１の内部には、積層された記録媒体２が収納される。円筒面の一部がカットされた円柱状の給送ローラ３は、ローラ軸４に２個設けられている。そして、給送ローラ３とローラ軸４とは、駆動装置（図示せず）により一体的に回動出来る様になっている。他方、記録媒体分離部５の給送ローラ３側には、斜面部分６が脱着自在で取り付けられている。例えば、両部材５，６を別個に作成し、斜面部分６を、ネジ止めによって記録媒体分離部５の本体に取り付ける。斜面部分６の固定方法としては、記録媒体分離部５の本体から容易に取り外し出来る固定方法が望ましい。斜面部分６の形状及び寸法は記録媒体分離部５本体と比較して単純・小型であり、斜面部分６のみの取り外しは容易である。
【００１３】
図２は、図１のＡ−Ａ断面図であり、記録媒体２を給送する前の状態（給送ローラ３を１回転する前の状態）に於ける図（プリンタ本体１００の一部）である。図１のカセット１１０をプリンタ本体１００に挿入すると、給送ローラ３の外周面は積層された記録媒体２の上面を上下に押すことになるが、給送前の状態では、図２に示す様に、給送ローラ３のカット面が積層された記録媒体２の上面を避ける位置関係になる様に、位置決め装置（図示せず）によって、カセット１１０が設置される。図２に示す様に、記録媒体２の下側には圧板７が配置されており、圧板７は、一体の回転軸８を介して記録媒体収納カセット１の軸受（図示せず）に軸支され、圧板７は回転軸８を中心に回転できるようになっている。そして、圧板７の下面と記録媒体収納カセット１の底面との間には、バネ９が介在されている。又、フィードローラ１０には、ピンチローラ１１が圧接されている。
【００１４】
図３は、給送動作が行われている時の断面図である。積層された記録媒体２の上面２ａが、回転した給送ローラ３と圧板７を介在してバネ９による所定の荷重で接触し給送される。給送ローラ３の１回転によって、最上面の記録媒体２ａの先端（記録媒体分離部５本体へ向けての給送方向に於ける先端ないしは前端）は、斜面部分６に当った後に斜面部分６を乗り越え、フィードローラ１０とピンチローラ１１とに挟まれる位置まで搬送される。この時、上面２ａから２枚目以降の記録媒体２ｂは、最上面の記録媒体２ａに押えられる事で、その先端が斜面部分６に当る所で給送が止まる。
【００１５】
図４は、給送動作が行われている時で且つ斜面部分６が磨耗した時の斜面部分６付近を拡大した断面図である。斜面部分６が磨耗している時の給送された最上面の記録媒体２ｃは、斜面部分６が磨耗していない時（破線で描かれている）の給送された最上面の記録媒体２ａと比べると、反りが小さく、２枚目以降の記録媒体２ｂを押える力が減る為、２枚目以降の記録媒体２ｂは最上面の記録媒体２ｃの下を潜り込んで斜面部分６を越え、重送となってしまう。
【００１６】
前述の通り、記録媒体２は斜面部分６に押し当りながら摺動するので、斜面部分６の磨耗は経時的には避けられない。本実施の形態では、斜面部分６を記録媒体分離部５本体から着け外し出来る構成にする事で、磨耗が進んで分離機能が低下した時に記録媒体分離部５全体を交換する必要なく、斜面部分６のみを交換出来る事で、容易に安価で分離機能を復帰可能とする効果がある。
【００１７】
（実施の形態２）
実施の形態１では、斜面部分６の磨耗を述べたが、その磨耗の程度は記録媒体２の腰の強さで異なる。一般的に、腰が強い記録媒体２では斜面部分６への押し当てが強いので、斜面部分６の磨耗が多く、腰が弱い記録媒体２では斜面部分６への押し当てが弱いので磨耗が少ない。
【００１８】
従って、記録媒体２の腰が強い時には斜面部分６の材質として硬い材質を選択する事で、斜面部分６のライフサイクルを長くする事が出来る。前述の斜面部分６のみを交換出来る構成から、記録媒体２の腰の強弱に対応した斜面部分６の材質を最適に選択することが出来、容易に付け替え可能とする効果がある。
【００１９】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【産業上の利用可能性】
【００２０】
本発明の活用例として、複数種の記録媒体を給送するプリンタ装置に適用できる。
【図面の簡単な説明】
【００２１】
【図１】本発明の実施の形態１に係るプリンタ装置の一部構成を示す斜視図である。
【図２】図１のＡ−Ａ断面図である。
【図３】給送動作時のＡ−Ａ断面図である。
【図４】斜面部分が磨耗を受けた際の給送動作時のＡ−Ａ断面図である。
【符号の説明】
【００２２】
１  記録媒体収納カセット、２  記録媒体、３  給送ローラ、４  ローラ軸、５  記録媒体分離部、６  斜面部分、７  圧板、８  回転軸、９  バネ、１０  フィードローラ、１１  ピンチローラ。
【図１】
2006264897.tif 000003
【図２】
2006264897.tif 000004
【図３】
2006264897.tif 000005
【図４】
2006264897.tif 000006